(57)【要約】【課題】押し出し成型装置を用いて押し出し成型することができるエルボ継手を提供する。【解決手段】第１短寸エルボ継手１３を構成する筒状部１３ａをほぼ四角筒状に形成し、筒状部１３ａの左右両側部に筒状部１３ａの軸方向と平行に連結板１３ｂ，１３ｃを一体に形成する。押し出し成型装置を用いて筒状部１３ａ及び連結板１３ｂ，１３ｃを含む押し出し成型型材を押し出し成型し、この成型型材を所定長さ寸法に切断し、連結板１３ｂ，１３ｃ以外の余剰の板部を切断して除去し、第１短寸エルボ継手１３を製造する。【選択図】      図１
2006125787.tif 000002
【特許請求の範囲】
【請求項１】
筒状部と、該筒状部の側部に対し部分的に側方に張り出すように一体に形成された複数の連結板とにより構成され、前記筒状部及び連結板は同時に押し出し成型されたものであることを特徴とするエルボ継手。  
【請求項２】
請求項１において、前記筒状部は四角筒状に形成され、この筒状部の端部側面には左右一対の前記連結板が互いに平行に一体形成されていることを特徴とするエルボ継手。
【請求項３】
請求項１又は２において、前記筒状部の内面にはナットを回動不能に保持するレール状のリブが互いに平行に形成されていることを特徴とするエルボ継手。
【請求項４】
請求項３において、前記レール状のリブの先端縁にはナットを所定位置に係止する係止リブが互いに平行に一体形成されていることを特徴とするエルボ継手。
【請求項５】
筒状部と、該筒状部に一体に連結され、かつ複数の連結板を同時に押し出し成型して長尺の押し出し成型型材を製造する工程と、
上記押し出し成型型材を所定長さに切断してエルボ継手原形を製造する工程と、
上記のエルボ継手原形の連結板となる部分以外の余剰連結板を除去する工程と
を含むことを特徴とするエルボ継手の製造方法。
【発明の詳細な説明】
【技術分野】
【０００１】
本発明は、例えばエアコン室外機の屋根置台に用いられるエルボ継手及びその製造方法に関する。
【背景技術】
【０００２】
一般に、四角筒状、円筒状又はチャンネル状をなす複数の筒状部材を直交あるいは斜交するように連結する際には、エルボ継手が用いられる。このエルボ継手は、合成樹脂材料あるいは金属材料により射出成型装置を用いて一体に成型されている。
【発明の開示】
【発明が解決しようとする課題】
【０００３】
ところが、上記従来のエルボ継手は、押し出し成型装置を用いて、押し出し成型することができないという問題があった。
本発明は、上記従来の技術に存する問題点を解消して、押し出し成型装置を用いて押し出し成形することができるエルボ継手及びその製造方法を提供することにある。
【課題を解決するための手段】
【０００４】
上記問題点を解決するために、請求項１に記載の発明は、筒状部と、該筒状部の側部に対し部分的に側方に張り出すように一体に形成された複数の連結板とにより構成され、前記筒状部及び連結板は同時に押し出し成型されたものであることを要旨とする。
【０００５】
請求項２に記載の発明は、請求項１において、前記筒状部は四角筒状に形成され、この筒状部の端部側面には左右一対の前記連結板が互いに平行に一体形成されていることを要旨とする。
【０００６】
請求項３に記載の発明は、請求項１又は２において、前記筒状部の内面にはナットを回動不能に保持するレール状のリブが互いに平行に形成されていることを要旨とする。
請求項４に記載の発明は、請求項３において、前記レール状のリブの先端縁にはナットを所定位置に係止する係止リブが互いに平行に一体形成されていることを要旨とする。
【０００７】
請求項５に記載の発明は、筒状部と、該筒状部に一体に連結され、かつ複数の連結板を同時に押し出し成型して長尺の押し出し成型型材を製造する工程と、上記押し出し成型型材を所定長さに切断してエルボ継手原形を製造する工程と、上記のエルボ継手原形の連結板となる部分以外の余剰連結板を除去する工程とを含むことを要旨とする。
【発明の効果】
【０００８】
本発明によれば、筒状部と、該筒状部の側部に対し部分的に側方に張り出すように一体に、かつ互いに平行に形成された複数の連結板とにより構成されているので、筒状部及び連結板を同時に押し出し成型することができる。
【発明を実施するための最良の形態】
【０００９】
以下、本発明のエルボ継手をエアコン室外機の屋根置台に用いられるエルボ継手に具体化した一実施形態を図面にしたがって説明する。
この実施形態の屋根置台は、概略的に見て、図５に示すように、エアコンの室外機を載置する左右一対の第１，第２ベース部材１１，１２と、第１及び第２ベース部材１１，１２の一（左）端部に下向きに連結された第１及び第２短寸エルボ継手１３，１４と、第１及び第２短寸エルボ継手１３，１４の下端部間に水平に連結され、かつ、屋根の上面に支持される第１接地部材１５とを備えている。又、屋根置台は、前記第１及び第２ベース部材１１，１２の他（右）端部に下向きに連結された長さ調節可能な第１，第２長寸ステー１６，１７と、この第１及び第２長寸ステー１６，１７の下端部間に水平に連結され、かつ屋根の上面に支持される第２接地部材１８とを備えている。
【００１０】
次に、前述した各部材について順次説明する。この実施形態では、左右一対の第１及び第２ベース部材１１，１２、第１及び第２短寸エルボ継手１３，１４及び第１及び第２長寸ステー１６，１７は、それぞれ同様に構成されているので、左側の各部材について説明し、右側の各部材については同一符号を付して説明を簡略する。
【００１１】
前記第１ベース部材１１を構成するベース部材本体２１は例えばアルミニウム材料により横長四角筒状に押し出し成型され、ベース部材本体２１の上面には、スリット２１ａが長手方向に全域にわたって形成され、このスリット２１ａを用いて、図６，７に示すようにゴム製のクッション２２、ボルト２３及びナット２４が２箇所に取り付けられている。前記クッション２２、ボルト２３及びナット２４によって図示しないエアコン用の室外機の脚部の下端部が取り付けられるようになっている。なお、前記スリット２１ａの中央部には、前記ナット２４をベース部材本体２１内に入れるための孔２１ｂが形成されている。
【００１２】
図７に示すように前記第１ベース部材１１の一端部に連結された第１短寸エルボ継手１３は、図１に示すように例えばアルミニウム材料により押し出し成型可能に形成されている。この第１短寸エルボ継手１３は、ほぼ四角筒状に形成された筒状部１３ａと、この筒状部１３ａの左右両側部に一体に側方に、かつ互いに平行に張り出し形成された連結板１３ｂ，１３ｃとにより構成され、連結板１３ｂ，１３ｃには貫通孔１３ｄが形成され、図７に示すように、前記ベース部材本体２１の左端部に前記連結板１３ｂ，１３ｃを嵌入した状態で、リベット３１をベース部材本体２１に形成した貫通孔（図示せず）と前記貫通孔１３ｄに貫通してかしめ付けることによりベース部材本体２１に第１短寸エルボ継手１３を連結している。
【００１３】
図１に示すように、前記第１短寸エルボ継手１３の筒状部１３ａは、左右両側壁板１３ｅ，１３ｆと、緩やかな円弧状をなす前壁板１３ｇと後壁板１３ｈとによってほぼ四角筒状に形成され、前記側壁板１３ｅ，１３ｆの下部には、前記第１接地部材１５を取り付けるための凹部１３ｉが切り欠き形成されている。前記前壁板１３ｇの内面には左右一対のレール状をなすリブ１３ｊが上下方向に互いに平行に一体に形成され、両リブ１３ｊの先端部には係止リブ１３ｋが互いに接近するように一体に形成され、リブ１３ｊ及び係止リブ１３ｋによってナット３３を回動不能に収容する収容溝１３ｌが形成されている。前記前壁板１３ｇの下部には、図７に示すようにビス３２を貫通する貫通孔１３ｍが形成され、中央部には、後述する締付ボルト４３を挿通するボルト挿通孔１３ｎが形成されている。
【００１４】
図７に示すように前記係止リブ１３ｋには、切り込み１３ｏがそれぞれ二箇所に形成され、前記ナット３３を前記挿通孔１３ｎと対応する位置に保持した状態で、各切り込み１３ｏの外側のリブ１３ｋの一部を収容溝１３ｌ側へ塑性変形して進入させることによりナット３３を所定位置に保持するようになっている。又、第１短寸エルボ継手１３の上端部には開口を閉塞するためのキャップ３４が取り付けられている。
【００１５】
図７に示す前記第１接地部材１５は例えばアルミニウム材料により押し出し成型され、その本体１５ａの上面には、前記第１短寸エルボ継手１３に形成した凹部１３ｉに嵌合される突条部１５ｂが一体に形成され、突条部１５ｂの左側壁面には、前記ビス３２を螺合するための溝１５ｃが一体に、かつ突条部１５ｂの長手方向全域に亘って形成されている。前記第１短寸エルボ継手１３の凹部１３ｉは前記第１接地部材１５の突条部１５ｂの任意の部位に対して上方から嵌合されるようになっている。そして、前記第１短寸エルボ継手１３の貫通孔１３ｍにビス３２を貫通して、前記第１接地部材１５の溝１５ｃにビス３２を螺合することによって、第１短寸エルボ継手１３と第１接地部材１５が連結されている。
【００１６】
次に、前記第１長寸ステー１６について説明する。
この第１長寸ステー１６は、図８に示すように前記ベース部材本体２１の他端部に下向きに連結された長寸エルボ継手４１と、この長寸エルボ継手４１の下端部に長さ調節可能に連結された可動ステー４２とによって構成されている。図９及び図１０に示す前記長寸エルボ継手４１は、例えばアルミニウム材料により押し出し成型可能に形成されている。この長寸エルボ継手４１は、ほぼ四角筒状に形成された筒状部４１ａと、この筒状部４１ａの左右両側部に一体に側方に、かつ互いに平行に張り出し形成された一対の連結板４１ｂ，４１ｃとにより構成されている。両連結板４１ｂ，４１ｃには貫通孔４１ｄが形成され、図８に示すように、前記ベース部材本体２１の右端部に前記連結板４１ｂ，４１ｃを嵌入した状態で、リベット３１をベース部材本体２１の側面に形成した貫通孔（図示せず）と前記貫通孔４１ｄに貫通してかしめ付けることによりベース部材本体２１に長寸エルボ継手４１を連結している。
【００１７】
前記長寸エルボ継手４１の筒状部４１ａは、図１０に示すように左右両側壁板４１ｅ，４１ｆと、緩やかな円弧状をなす前壁板４１ｇと後壁板４１ｈとによって形成され、前記側壁板４１ｅ，４１ｆの下部には、前記第２接地部材１８を取り付けるための凹部４１ｉが切り欠き形成されている。前記前壁板４１ｇの裏面には左右一対のレール状をなすリブ４１ｊが上下方向に互いに平行に一体に形成され、両リブ４１ｊの先端部には係止リブ４１ｋが互いに接近するように一体に形成され、リブ４１ｊ及び係止リブ４１ｋによってナット４４を回動不能に収容する収容溝４１ｌが形成されている。前記前壁板４１ｇの下部には、前記ナット４４に螺合される締付ボルト４３を貫通する挿通孔４１ｎが形成されている。図８に示すように前記係止リブ４１ｋには、切り込み４１ｍがそれぞれ二箇所に形成され、前記ナット４４を前記挿通孔４１ｎと対応する位置に保持した状態で、各切り込み４１ｍの外側のリブ４１ｋの一部を収容溝４１ｌ側へ塑性変形して進入させることによりナット４４を所定位置に保持するようになっている。
【００１８】
図１０に示す前記可動ステー４２は、例えばアルミニウム材料により押し出し成型されている。この可動ステー４２は縦長のチャンネル状に形成され、前記長寸エルボ継手４１の側壁板４１ｅ，４１ｆの外表面に接触される側壁板４２ａ，４２ｂと、両側壁板４２ａ，４２ｂの側端縁を一体に連結する前壁板４２ｃとによって構成されている。前記前壁板４２ｃの裏面には左右一対のスライド用レール４２ｄ，４２ｅが可動ステー４２の長手方向全長にわたって一体に形成され、スライド用レール４２ｄ，４２ｅの先端縁は、図９に示すように、前記長寸エルボ継手４１の前壁板４１ｇの外表面にスライド接触されるようになっている。前記可動ステー４２の前壁板４２ｃの中央部には図１０に示すように長手方向にスリット４２ｆが形成され、このスリット４２ｆに貫通した締付ボルト４３を前記長寸エルボ継手４１の挿通孔４１ｎに貫通して、前記収容溝４１ｌ内に保持されたナット４４に螺合することにより、長寸エルボ継手４１と可動ステー４２を所定長さ寸法の状態で連結するようにしている。
【００１９】
図１０に示す長寸エルボ継手４１と、図１に示す第１短寸エルボ継手１３は、図５，６において、取付位置の反転可能に構成されている。図７に示す第１短寸エルボ継手１３のナット３３は、図６において、第１短寸エルボ継手１３と第１長寸ステー１６の長寸エルボ継手４１との取付位置を入れ換えて、第１短寸エルボ継手１３に可動ステー４２を装着して締付ボルト４３をナット３３に螺合し、屋根Ｙの傾斜角に応じて第１長寸ステー１６の長さを調節する場合に用いられる。
【００２０】
図８に示すように前記締付ボルト４３の頭部と可動ステー４２の前壁板４２ｃの表面との間には、アルミニウム製のスペーサ４５が介在されている。前記可動ステー４２の前壁板４２ｃの上端部には前記長寸エルボ継手４１の前壁板４１ｇの外表面と、前壁板４２ｃの内表面との隙間を塞ぐためのキャップ４６が取り付けられている。又、前記筒状部４１ａの上端部には、開口を閉塞するためのキャップ４７が取り付けられている。
【００２１】
図１１に示す前記第２接地部材１８は例えばアルミニウム材料により押し出し成型され、その本体１８ａの上面には、前記可動ステー４２に形成した凹部４２ｇに嵌合される突条部１８ｂが一体に形成され、突条部１８ｂの右側壁面には、ビス４８を螺合するための溝１８ｃが突条部１８ｂの長手方向全長に亘って、一体に形成されている。前記可動ステー４２の凹部４２ｇは前記第２接地部材１８の突条部１８ｂの任意の部位に対して上方から嵌合されるようになっている。そして、前記可動ステー４２の挿通孔４２ｉにビス４８を貫通して、前記第２接地部材１８の溝１８ｃにビス４８を螺合することによって、可動ステー４２と第２接地部材１８が連結されている。
【００２２】
図５に示すように、前記第１接地部材１５及び第２接地部材１８には、複数箇所にゴム製の滑り止め３５が取り外し可能に装着されている。
次に、図２〜図４に基づいて図１に示す第１短寸エルボ継手１３を製造する方法について説明する。
【００２３】
最初に、図２に示すように、図示しない押し出し成型装置を用いて、筒状部１３ａ、二枚の連結板１３ｂ，１３ｃ、リブ１３ｊ及び係止リブ１３ｋを含む長尺の押し出し成型型材１３１を同時に押し出し成型する。
【００２４】
上記押し出し成型型材１３１を所定長さに切断して図３に示すエルボ継手原形１３２を製造する。
上記のエルボ継手原形１３２の連結板１３ｂ，１３ｃとなる部分以外の余剰連結板を除去して図４に示すように第１短寸エルボ継手１３を製造する。
【００２５】
最後に、第１短寸エルボ継手１３に対し、貫通孔１３ｄ、凹部１３ｉ、貫通孔１３ｍ、ボルト挿通孔１３ｎ及び切り込み１３ｏ等を形成して第１短寸エルボ継手１３の製造を完了する。前記長寸エルボ継手４１の製造も第１短寸エルボ継手１３の製造と同様に行われる。
【００２６】
次に、前記のように構成されたエアコン室外機の屋根置台の動作について説明する。
図６は、屋根置台が所定傾斜角の屋根Ｙの上面の所定位置に図示しない取り付け用のワイヤーとボルト等によって装着された状態を示す。この状態において、屋根Ｙの傾斜角が緩やかな場合には、前記ナット４４に螺合された締付ボルト４３を緩めて（又は外して第１及び第２ベース部材１１，１２を反転の上）、第１及び第２長寸ステー１６，１７の長寸エルボ継手４１（又は第１及び第２短寸エルボ継手１３，１４）に対して可動ステー４２を上方向にスライドさせ、第１及び第２ベース部材１１，１２が水平状態となるように長さ（高さ）調節した状態で、前記締付ボルト４３を螺入方向に回動して長寸エルボ継手４１（又は第１及び第２短寸エルボ継手１３，１４）と可動ステー４２を締め付け固定する。
【００２７】
上記実施形態のエルボ継手及びその製造方法によれば、以下のような効果を得ることができる。
（１）上記実施形態では、前記第１短寸エルボ継手１３の筒状部１３ａの左右両側部に対し、連結板１３ｂ，１３ｃを互いに平行に、かつ筒状部１３ａの押し出し成型方向と同じ方向に一体に形成した。このため、押し出し成型型材１３１を所定長さ寸法に切断した後、連結板１３ｂ，１３ｃ以外の余剰板部を除去することにより、第１短寸エルボ継手１３を容易に製造することができる。
【００２８】
（２）上記実施形態では、前記長寸エルボ継手４１の筒状部４１ａの左右両側部に対し、連結板４１ｂ，４１ｃを互いに平行に、かつ筒状部４１ａの押し出し成型方向と同じ方向に一体に形成した。このため、押し出し成型型材を所定長さ寸法に切断した後、連結板４１ｂ，４１ｃ以外の余剰板部を除去することにより、長寸エルボ継手４１を容易に製造することができる。
【００２９】
（３）上記実施形態では、第１短寸エルボ継手１３の筒状部１３ａ内にナット３３を収容保持するためのリブ１３ｊ及び係止リブ１３ｋを第１短寸エルボ継手１３の押し出し成形時に同時成形するようにした。このため、リブ１３ｊ及び係止リブ１３ｋを容易に形成することができる。
【００３０】
（４）上記実施形態では、長寸エルボ継手４１の筒状部４１ａ内にナット４４を収容保持するためのリブ４１ｊ及び係止リブ４１ｋを長寸エルボ継手４１の押し出し成形時に同時成形するようにした。このため、リブ４１ｊ及び係止リブ４１ｋを容易に形成することができる。
【００３１】
なお、上記実施形態は以下のように変更してもよい。
○  図示しないが、第１短寸エルボ継手１３の連結板１３ｂ，１３ｃの先端部を連結板により連結してもよい。又、連結板を三枚にしたり、四枚以上にしてもよい。
【００３２】
○  第１短寸エルボ継手１３の筒状部１３ａ及び長寸エルボ継手４１の筒状部４１ａを円筒状にしたり楕円筒状にしたりその他の筒状に形成したりしてもよい。
○  エルボ継手として、エアコン室外機の屋根置台以外に各種の機器に用いられる四角筒状、円筒状又はチャンネル状をなす複数の筒状部材を直交あるいは斜交するように連結するエルボ継手に具体化してもよい。
【図面の簡単な説明】
【００３３】
【図１】この発明のエアコン室外機の屋根置台のエルボ継手に具体化した一実施形態を示す短寸エルボ継手の斜視図。
【図２】第１短寸エルボ継手の製造方法を説明する斜視図。
【図３】第１短寸エルボ継手の製造方法を説明する斜視図。
【図４】第１短寸エルボ継手の製造方法を説明する斜視図。
【図５】エアコン室外機の屋根置台の一実施形態を示す斜視図。
【図６】屋根置台の左側面図。
【図７】短寸ステーの取付状態を示す拡大断面図。
【図８】長寸ステーの取付状態を示す拡大断面図。
【図９】長寸エルボ継手と可動ステーの組付け状態を示す平面図。
【図１０】固定ステーと可動ステーを分離して示す拡大斜視図。
【図１１】可動ステーと第２接地部材の組み付け状態を示す拡大断面図。
【符号の説明】
【００３４】
Ｙ…屋根、１３ａ，４１ａ…筒状部、１３ｂ，１３ｃ，４１ｂ，４１ｃ…連結板、１３ｊ，１３ｋ，４１ｊ，４１ｋ…リブ、１３ｋ，４１ｋ…係止リブ、３３，４４…ナット、１３１…押し出し成型型材、１３２…エルボ継手原形。
【図１】
2006125787.tif 000003
【図２】
2006125787.tif 000004
【図３】
2006125787.tif 000005
【図４】
2006125787.tif 000006
【図５】
2006125787.tif 000007
【図６】
2006125787.tif 000008
【図７】
2006125787.tif 000009
【図８】
2006125787.tif 000010
【図９】
2006125787.tif 000011
【図１０】
2006125787.tif 000012
【図１１】
2006125787.tif 000013